(57)【要約】【課題】  著作権管理において、コピーガードが意図的に破られた場合を想定して、コンテンツの購入者を特定し、コピーの流通経路を追跡し把握することを可能にするストレージ装置およびコンテンツ配信装置を提供する。【解決手段】  ユーザ端末から受信したコンテンツデータに、ユーザ端末から受信したユーザ端末のＩＤ情報を電子透かしとして埋め込む処理を行なう透かし処理部と、ユーザ端末のＩＤ情報を埋め込まれたＩＤ情報付きコンテンツデータの蓄積処理を行なう蓄積処理部と、ＩＤ情報付きコンテンツデータを蓄積する蓄積部と、ＩＤ情報付きコンテンツデータの送信要求信号を受信したときには、蓄積部からＩＤ情報付きコンテンツデータを読み出し、要求信号を送信した端末装置に送信処理する送信処理部と、を備える。【選択図】  図１
2006338439.tif 000002
【特許請求の範囲】
【請求項１】
ユーザ端末から受信したコンテンツデータに、前記ユーザ端末から受信した前記ユーザ端末のＩＤ情報を電子透かしとして埋め込む処理を行なう透かし処理部と、
前記ユーザ端末のＩＤ情報を埋め込まれたＩＤ情報付きコンテンツデータの蓄積処理を行なう蓄積処理部と、
前記ＩＤ情報付きコンテンツデータを蓄積する蓄積部と、
前記ＩＤ情報付きコンテンツデータの送信要求信号を受信したときには、前記蓄積部から前記ＩＤ情報付きコンテンツデータを読み出し、前記要求信号を送信した端末装置に送信処理する送信処理部と、を備えることを特徴とするストレージ装置。
【請求項２】
ユーザ端末からコンテンツ配信装置に与えられた配信指示により前記コンテンツ配信装置から受信したコンテンツデータに、前記コンテンツ配信装置から受信した前記ユーザ端末のＩＤ情報を電子透かしとして埋め込む処理を行なう透かし処理部と、
前記ユーザ端末のＩＤ情報を埋め込まれたＩＤ情報付きコンテンツデータの蓄積処理を行なう蓄積処理部と、
前記ＩＤ情報付きコンテンツデータを蓄積する蓄積部と、
前記ＩＤ情報付きコンテンツデータの送信要求信号を受信したときには、前記蓄積部から前記ＩＤ情報付きコンテンツデータを読み出し、前記要求信号を送信した端末装置に送信処理する送信処理部と、を備えることを特徴とするストレージ装置。
【請求項３】
前記透かし処理部は、動画ファイルのコンテンツデータに対して、動画ファイルを構成する各フレームに前記ユーザ端末のＩＤ情報を電子透かしとして埋め込む処理を行なうことを特徴とする請求項１または請求項２に記載のストレージ装置。
【請求項４】
各種のコンテンツデータを蓄積するアーカイブ装置から、ユーザ端末による配信要求があったコンテンツデータを読み出す処理を行なう読み出し処理部と
前記読み出されたコンテンツデータに、前記ユーザ端末から受信した前記ユーザ端末のＩＤ情報を電子透かしとして埋め込む処理を行なう透かし処理部と、
前記ユーザ端末のＩＤ情報を埋め込まれたＩＤ情報付きコンテンツデータを前記ユーザ端末に送信する送信処理を行なう送信処理部と、を備えることを特徴とするコンテンツ配信装置。
【請求項５】
前記透かし処理部は、動画ファイルのコンテンツデータに対して、動画ファイルを構成する各フレームに前記ユーザ端末のＩＤ情報を電子透かしとして埋め込む処理を行なうことを特徴とする請求項４に記載のコンテンツ配信装置。
【発明の詳細な説明】
【技術分野】
【０００１】
本発明は、ユーザ別にコンテンツデータを管理し蓄積するストレージ装置およびユーザ別にコンテンツデータの管理し配信するコンテンツ配信装置に関する。
【背景技術】
【０００２】
従来から、コンテンツをリアルタイムで暗号化してユーザの端末にダウンロードさせることによりコンテンツに係る著作権を保護しようとするデジタルコンテンツの管理システムが提案されている（たとえば、特許文献１参照）。
【０００３】
特許文献１に記載されているデジタルコンテンツの保護および管理のためのシステムは、デジタルコンテンツが公開および配布されるにあたって、特定の形態の暗号化キーを含むデジタルコンテンツを受信し、ユーザが用いる個々の固有システムの特性を示すシステム情報と比較し、比較情報が一致する場合にデジタルコンテンツを再生する。
【０００４】
この際、受信されたデジタルコンテンツは、ユーザのシステム情報に従って暗号化された状態で提供され、デジタルコンテンツの再生は、デジタルコンテンツの復号化キーを抽出してデジタルコンテンツ中の特定の資料を復号化して再生する。さらには、ユーザがある一連のコンテンツを要請したとき、コンテンツを要請して直ぐにリアルタイムで暗号化した後、後続する一連の過程を経てユーザ端末にダウンロードさせるシステムが提案されている。
【０００５】
一方、通常ユーザは、ダウンロードしたコンテンツを自由に利用したいが、端末装置のメモリには限界があるため、別途、ユーザ固有のメモリ領域を有するストレージ装置を設け、ユーザごとにメモリ領域を使用可能にするサービスが行われている。
【特許文献１】特開２００４−０４６７９０号公報
【発明の開示】
【発明が解決しようとする課題】
【０００６】
しかしながら、上記の特許文献１のシステムのように、暗号化によりコピーガードを施した場合でも、ガードが破られる可能性は依然として残る。また、権利者の情報を記録する電子透かしをコンテンツデータに埋め込んでも、不正コピーを排除するという点では効果が薄い。さらに、不正コピーがなされた場合、法整備の遅れ等により海外においては著作権を保護する手立てが無い場合がある。このような場合には、コピーの流出を防止するため、コピーの流通経路を明らかにすることが重要となる。
【０００７】
さらに、近年普及しているストレージ装置のメモリ領域をユーザに割り当てるサービスにより、不特定の者に不正コピーされたコンテンツデータが流出する可能性が高まっており、コピーの流出経路を特定できるシステムが望まれている。たとえば、ダウンロードしたコンテンツデータにはコピーガード等がかかっているが、ユーザがコピーガードを外したコンテンツデータを上記のサービスを提供するストレージ装置に保存する場合には、コピー可能なコンテンツデータが流出し、著作権保護が不十分となるおそれがある。
【０００８】
本発明は、このような事情に鑑みてなされたものであり、著作権管理において、コピーガードが意図的に破られた場合を想定して、コンテンツの購入者を特定し、コピーの流通経路を追跡し把握することを可能にするストレージ装置およびコンテンツ配信装置を提供することを目的とする。
【課題を解決するための手段】
【０００９】
（１）上記の目的を達成するため、本発明のストレージ装置は、ユーザ端末から受信したコンテンツデータに、前記ユーザ端末から受信した前記ユーザ端末のＩＤ情報を電子透かしとして埋め込む処理を行なう透かし処理部と、前記ユーザ端末のＩＤ情報を埋め込まれたＩＤ情報付きコンテンツデータの蓄積処理を行なう蓄積処理部と、前記ＩＤ情報付きコンテンツデータを蓄積する蓄積部と、前記ＩＤ情報付きコンテンツデータの送信要求信号を受信したときには、前記蓄積部から前記ＩＤ情報付きコンテンツデータを読み出し、前記要求信号を送信した端末装置に送信処理する送信処理部と、を備えることを特徴としている。
【００１０】
このように、ダウンロードを行なったコンテンツファイルにコンテンツ購入者のＩＤ情報が埋め込まれるので、ストレージ装置からコピーされたコンテンツの購入者を特定することが容易になる。その結果、不正コピーが行なわれたとしても、コピーの流通経路を追跡することが容易になる。そして、不正コピーへの事後的な対処を容易にするだけでなく、不正コピーに対する抑止力としても効果がある。また、コンテンツデータに、ユーザ端末から受信したユーザ端末のＩＤ情報を電子透かしとして埋め込むので、予め識別情報などをコンテンツデータに埋め込んでおく必要がなく、コンテンツデータの管理負担を軽減することが可能となる。また、ユーザが所有するコンテンツデータを預かるストレージのサービスの提供を促進することができる。
【００１１】
（２）また、本発明のストレージ装置は、ユーザ端末からコンテンツ配信装置に与えられた配信指示により前記コンテンツ配信装置から受信したコンテンツデータに、前記コンテンツ配信装置から受信した前記ユーザ端末のＩＤ情報を電子透かしとして埋め込む処理を行なう透かし処理部と、前記ユーザ端末のＩＤ情報を埋め込まれたＩＤ情報付きコンテンツデータの蓄積処理を行なう蓄積処理部と、前記ＩＤ情報付きコンテンツデータを蓄積する蓄積部と、前記ＩＤ情報付きコンテンツデータの送信要求信号を受信したときには、前記蓄積部から前記ＩＤ情報付きコンテンツデータを読み出し、前記要求信号を送信した端末装置に送信処理する送信処理部と、を備えることを特徴としている。
【００１２】
このように、直接、コンテンツ配信装置からストレージする場合でも、コンテンツファイルにコンテンツ購入者のＩＤ情報が埋め込まれるので、ストレージ装置からコピーされたコンテンツの購入者を特定することが容易になる。その結果、不正コピーが行なわれたとしても、コピーの流通経路を追跡することが容易になる。そして、不正コピーへの事後的な対処を容易にするだけでなく、不正コピーに対する抑止力ともなる。また、コンテンツデータに、ユーザ端末から受信したユーザ端末のＩＤ情報を電子透かしとして埋め込むので、予め識別情報などをコンテンツデータに埋め込んでおく必要がなく、コンテンツデータの管理負担を軽減することが可能となる。また、ユーザが所有するコンテンツデータを預かるストレージのサービスの提供を促進することができる。
【００１３】
（３）また、本発明のストレージ装置は、前記透かし処理部が、動画ファイルのコンテンツデータに対して、動画ファイルを構成する各フレームに前記ユーザ端末のＩＤ情報を電子透かしとして埋め込む処理を行なうことを特徴としている。
【００１４】
このように、動画ファイルを構成する各フレームに対してユーザ情報が埋め込まれるので、たとえキャプチャー画像をコピーしたとしてもコンテンツの購入者を容易に特定することができる。これにより、動画ファイルについても不正コピーの流通経路を明らかにし、不正コピーを防止することができる。
【００１５】
（４）また、本発明のコンテンツ配信装置は、各種のコンテンツデータを蓄積するアーカイブ装置から、ユーザ端末による配信要求があったコンテンツデータを読み出す処理を行なう読み出し処理部と前記読み出されたコンテンツデータに、前記ユーザ端末から受信した前記ユーザ端末のＩＤ情報を電子透かしとして埋め込む処理を行なう透かし処理部と、前記ユーザ端末のＩＤ情報を埋め込まれたＩＤ情報付きコンテンツデータを前記ユーザ端末に送信する送信処理を行なう送信処理部と、を備えることを特徴としている。
【００１６】
このように、コンテンツ配信装置からダウンロードを行なったコンテンツファイルにコンテンツ購入者のＩＤ情報が埋め込まれるので、コピーされたコンテンツの購入者を特定することが容易になる。その結果、不正コピーが行なわれたとしても、コピーの流通経路を追跡することが容易になる。そして、不正コピーへの事後的な対処を容易にするだけでなく、不正コピーに対する抑止力としても効果がある。また、ユーザがダウンロードを要求してきたときにコンテンツデータにＩＤを埋め込むので、予め識別情報などをコンテンツデータに埋め込んでおく必要がなく、コンテンツデータの管理負担を軽減することが可能となる。
【００１７】
（５）また、本発明のコンテンツ配信装置は、前記透かし処理部が、動画ファイルのコンテンツデータに対して、動画ファイルを構成する各フレームに前記ユーザ端末のＩＤ情報を電子透かしとして埋め込む処理を行なうことを特徴としている。
【００１８】
このように、動画ファイルを構成する各フレームに対してユーザ情報が埋め込まれるので、たとえキャプチャー画像をコピーしたとしてもコンテンツ購入者を容易に特定することができる。これにより、動画ファイルについても不正コピーの流通経路を明らかにし、不正コピーを防止することができる。
【発明の効果】
【００１９】
本発明のストレージ装置によれば、ストレージ装置からコピーされたコンテンツの購入者を特定することが容易になる。その結果、不正コピーが行なわれたとしても、コピーの流通経路を追跡することが容易になる。そして、不正コピーへの事後的な対処を容易にするだけでなく、不正コピーに対する抑止力としても効果がある。また、コンテンツデータに、ユーザ端末から受信したユーザ端末のＩＤ情報を電子透かしとして埋め込むので、予め識別情報などをコンテンツデータに埋め込んでおく必要がなく、コンテンツデータの管理負担を軽減することが可能となる。また、ユーザが所有するコンテンツデータを預かるストレージのサービスの提供を促進することができる。
【００２０】
また、本発明のストレージ装置によれば、たとえキャプチャー画像をコピーしたとしてもコンテンツ購入者を容易に特定することができる。これにより、動画ファイルについても不正コピーの流通経路を明らかにし、不正コピーを防止することができる。
【００２１】
また、本発明のコンテンツ配信装置によれば、コピーされたコンテンツの購入者を特定することが容易になる。その結果、不正コピーが行なわれたとしても、コピーの流通経路を追跡することが容易になる。そして、不正コピーへの事後的な対処を容易にするだけでなく、不正コピーに対する抑止力としても効果がある。また、ユーザがダウンロードを要求してきたときにコンテンツデータにＩＤを埋め込むので、予め識別情報などをコンテンツデータに埋め込んでおく必要がなく、コンテンツデータの管理負担を軽減することが可能となる。
【００２２】
また、本発明のコンテンツ配信装置によれば、たとえキャプチャー画像をコピーしたとしてもコンテンツ購入者を容易に特定することができる。これにより、動画ファイルについても不正コピーの流通経路を明らかにし、不正コピーを防止することができる。
【発明を実施するための最良の形態】
【００２３】
次に、本発明の実施の形態について、図面を参照しながら説明する。説明の理解を容易にするため、各図面において同一の構成要素に対しては同一の参照番号を附し、重複する説明は省略する。
【００２４】
（実施形態１）
図１は、コンテンツ管理システム１の構成およびデータの流れを示す概念図である。コンテンツ管理システム１は、コンテンツアーカイブ５に接続されるコンテンツ配信装置１０、携帯電話機２０（ユーザ端末）、ストレージ装置３０、携帯電話機４０およびＰＣ端末４１から構成されており、それぞれ電気通信網Ｎに接続されている。ストレージ装置３０は、コンテンツデータの処理を行なう管理装置３１、データベース３５（蓄積部）から構成されている。
【００２５】
コンテンツ配信装置１０は、コンテンツアーカイブ５に接続されており、携帯電話機２０からコンテンツデータをダウンロードする要求があったときには、コンテンツデータをコンテンツアーカイブ５から読み出し、携帯電話機２０に送信する。コンテンツアーカイブ５は、コンテンツプロバイダが配信用に作成した各種のコンテンツデータを一括して蓄積する記憶装置である。コンテンツアーカイブ５は、ＲＡＭ、ＲＯＭ等のメモリまたはハードディスクのような外部記憶装置により構成されている。コンテンツアーカイブ５に蓄積されるコンテンツデータはコンテンツ配信装置１０により、集中管理されている。コンテンツには、たとえば写真、動画、音楽、音声等のものがある。
【００２６】
携帯電話機２０は、電気通信網Ｎを介してコンテンツ配信装置１０やストレージ装置３０にアクセスし、コンテンツデータの受信または送信を行なうことのできる機能を有している。携帯電話機２０は、コンテンツ配信またはコンテンツデータのストレージサービスを提供するサービス提供者に、そのＩＤ情報が登録されているユーザ端末である。なお、ＩＤ情報とは、各種サービス提供者がサービス提供先のユーザを特定するために用いる識別情報であり、携帯電話機２０のＳｕｂ−ＩＤを用いてもよいし、また、サービスの提供者が任意に付与してもよい。なお、Ｓｕｂ−ＩＤとは、個々の携帯電話機に固有に割り当てられたユニークな固定のＩＤをいう。
【００２７】
図２は、ストレージ装置３０の電気的構成を示すブロック図である。図２に示すように、ストレージ装置３０は、コンテンツデータの処理を行なう管理装置３１および蓄積部３５から構成されており、各部は制御バスＬ１で接続されている。管理装置３１は、送受信部３２、透かし処理部３３、蓄積処理部３４、送信処理部３６および制御部３８から構成されている。
【００２８】
送受信部３２は、電気通信網Ｎに接続するインターフェースであり、コンテンツ等のデータまたは信号の送受信を行なう。透かし処理部３３は、携帯電話機２０から受信したコンテンツデータに、携帯電話機２０から受信したＳｕｂ−ＩＤを電子透かしとして埋め込む処理を行なう。
【００２９】
これにより、ストレージ装置３０にコンテンツデータを送信した購入者を特定することが容易になり、不正コピーが行なわれたとしても、コピーの流通経路を追跡することが容易になる。そして、不正コピーへの事後的な対処を容易にするだけでなく、不正コピーに対する抑止力としても効果がある。また、コンテンツデータに、携帯電話機２０から受信したＳｕｂ−ＩＤを電子透かしとして埋め込むので、予め識別情報などをコンテンツデータに埋め込んでおく必要がなく、コンテンツデータの管理負担を軽減することが可能となる。また、ユーザが所有するコンテンツデータを預かるストレージのサービスの提供を促進することができる。
【００３０】
なお、電子透かしとは、コンテンツの質を損なわせず、人間が知覚できない程度にコンテンツデータに埋め込まれる情報をいう。なお、一度埋め込まれた電子透かしは、加工や圧縮によって消えることはない。透かしの埋め込み処理方法は、データの標本値に埋め込む方法でもよいし、周波数成分に変換して埋め込む方法でもよい。たとえば、画像データであれば、画素を複数のブロックに分割し、輝度を表すビット情報に直接処理を施して透かしを埋め込んでもよいし、画像データを周波数成分に変換し、画質に影響しないように特定の周波数成分に透かし情報を埋め込んでもよい。
【００３１】
コンテンツが動画の場合には、動画ファイルのコンテンツデータに対して、動画ファイルを構成する各フレームに携帯電話機２０のＳｕｂ−ＩＤを電子透かしとして埋め込む処理を行なう。これにより、たとえキャプチャー画像をコピーしたとしてもコンテンツ購入者を容易に特定することができる。これにより、動画ファイルについても不正コピーの流通経路を明らかにし、不正コピーを防止することができる。また、音声のデータについては、人間の聞き取れない音声帯域に透かし情報を埋め込む。周波数成分に埋め込んでもよいし、エコー制御と言われる人間の耳には聞き取れないエコーをかけてその中に透かし信号を入れてもよい。
【００３２】
蓄積処理部３４は、携帯電話機２０のＳｕｂ−ＩＤを埋め込まれたＩＤ情報付きコンテンツデータを蓄積部３５に蓄積する蓄積処理を行なう。送信処理部３６は、ＩＤ情報付きコンテンツデータの送信要求信号を受信したときには、蓄積部３５からＩＤ情報付きコンテンツデータを読み出し、要求信号を送信した携帯電話機４０またはＰＣ端末４１に送信処理する。制御部３８は、その他ストレージ装置３０が動作するのに必要な制御を行なう。制御バスＬ１は、各部間の信号やデータの送受に用いられる幹線を概念的に示したものである。
【００３３】
蓄積部３５は、いわゆるデータベースであり、ＲＡＭ、ＲＯＭ等のメモリまたはハードディスクのような外部記憶装置により構成されている。透かし処理部３３、蓄積処理部３４、送信処理部３６および制御部３８は、ＣＰＵにより構成されている。
【００３４】
携帯電話機４０およびＰＣ端末４１は、それぞれユーザ端末としての携帯電話機２０とは異なる一般的な端末装置である。ストレージ装置３０は、Ｓｕｂ−ＩＤが同一でない、またはＳｕｂ−ＩＤが無い場合であっても、パスワード等の認証により他の端末からＩＤ情報付きコンテンツデータをダウンロードできる機能を有している。また、互換性のあるデータ形式のコンテンツデータであれば、ＰＣ端末４１により携帯電話機２０がストレージ装置３０に保存したデータをダウンロードすることが可能となっている。
【００３５】
次に、以上のように構成されるコンテンツ管理システム１の動作について説明する。
【００３６】
図３は、コンテンツ管理システム１の特徴的な動作を示すシーケンスチャートである。まず、携帯電話機２０は、コンテンツ配信を受けるための操作を受けつけ、コンテンツダウンロード要求信号をコンテンツ配信装置１０に送信する（ステップＳ１）。コンテンツダウンロード要求信号を受信したコンテンツ配信装置１０は、コンテンツアーカイブ５を検索し、コンテンツアーカイブ５から配信要求のあったコンテンツデータを読み出す（ステップＳ２）。コンテンツ配信装置１０は、コンテンツアーカイブ５から読み出されたコンテンツデータを、携帯電話機２０に送信する（ステップＳ３）。
【００３７】
コンテンツデータを受信した携帯電話機２０は、ストレージ装置３０への接続操作を受け付ける（ステップＳ４）。次に、携帯電話機２０は、ストレージ装置３０にＳｕｂ−ＩＤを送信する（ステップＳ５）。Ｓｕｂ−ＩＤを受信したストレージ装置３０は、Ｓｕｂ−ＩＤにより会員登録されたユーザ端末であることを判定する。認証されなかったときには、ストレージ装置３０は、携帯電話機２０のアクセスを拒否する（図示せず）。認証があったときには（ステップＳ６）、メニュー画面データを送信して携帯電話機２０がコンテンツデータの保存を選択できる状態に導く（ステップＳ７）。そして、携帯電話機２０は、ユーザのコンテンツ保存を指示する操作を受け付け、コンテンツデータをストレージ装置３０へ送信する（ステップＳ８）。
【００３８】
次に、ストレージ装置３０は、受信したコンテンツデータに携帯電話機２０のＳｕｂ−ＩＤを電子透かしとして埋め込む処理を行なう（ステップＳ９）。そして、Ｓｕｂ−ＩＤを電子透かしとして埋め込まれたＩＤ情報付きコンテンツデータを蓄積部３５に蓄積する（ステップＳ１０）。
【００３９】
次に、携帯電話機２０とは異なる端末として、たとえば携帯電話機４０が、操作によりストレージ装置３０にパスワードを送信する（ステップＳ１１）。ストレージ装置３０は、パスワードが正しいか否かを判定する。パスワードの認証がなされなかったときには、ストレージ装置３０は携帯電話機４０のアクセスを拒否する（図示せず）。パスワードの認証がなされたときには（ステップＳ１２）、メニュー画面データを送信して携帯電話機４０がコンテンツデータのダウンロードを選択できる状態に導く（ステップＳ１３）。
【００４０】
次に、携帯電話機４０では、コンテンツデータのダウンロードを指示する操作を受けつけ、コンテンツダウンロード要求信号をストレージ装置３０に送信する（ステップＳ１４）。ストレージ装置３０は、蓄積部３５からダウンロード要求されたＩＤ情報付きコンテンツデータを読み出し（ステップＳ１５）、携帯電話機４０へ送信する（ステップＳ１６）。
【００４１】
（実施形態２）
上記の実施形態では、携帯電話機２０がストレージ装置３０にコンテンツデータを送信し、送信されたコンテンツデータをストレージ装置３０が透かし処理して蓄積するが、コンテンツ配信装置１０が携帯電話機２０により購入されたコンテンツデータを直接ストレージ装置３０に送信し、送信されたコンテンツデータをストレージ装置３０が透かし処理して蓄積することとしてもよい。
【００４２】
図４は、コンテンツ管理システム１の構成およびデータの流れを示す概念図である。図４に示すように、コンテンツ管理システム１は、コンテンツアーカイブ５に接続されるコンテンツ配信装置１０、携帯電話機２０（ユーザ端末）、ストレージ装置３０、携帯電話機４０およびＰＣ端末４１から構成されており、それぞれ電気通信網Ｎに接続されている。ストレージ装置３０は、コンテンツデータの処理を行なう管理装置３１、データベース３５（蓄積部）から構成されている。
【００４３】
このように、コンテンツ管理システム１の構成は上記の実施形態と同様である。ただし、コンテンツ配信装置１０の機能が異なっており、携帯電話機２０から配信要求のあったコンテンツデータを携帯電話機２０に送信するとともに、同一のコンテンツであるが別のデータ形式を有するコンテンツデータをストレージ装置３０にも送信する。なお、関連付けられた異なるコンテンツデータを、携帯電話機２０に送信するとともにストレージ装置３０に送信することとしてもよい。関連付けられた異なるコンテンツデータとは、たとえば、同じ図柄で配色が異なるコンテンツのデータや、同じ絵で解像度が異なるデータ等をいう。
【００４４】
このようなコンテンツ管理システム１の動作について説明する。
【００４５】
図５は、コンテンツ管理システム１の特徴的な動作を示すシーケンスチャートである。まず、携帯電話機２０は、コンテンツ配信を受けるための操作を受けつけ、コンテンツダウンロード要求信号をコンテンツ配信装置１０に送信する（ステップＴ１）。コンテンツダウンロード要求信号を受信したコンテンツ配信装置１０は、コンテンツアーカイブ５を検索し、コンテンツアーカイブ５から配信要求のあったコンテンツデータを読み出す（ステップＴ２）。コンテンツ配信装置１０は、コンテンツアーカイブ５から読み出されたコンテンツデータを、携帯電話機２０に送信する（ステップＴ３）とともに、Ｓｕｂ−ＩＤおよびコンテンツデータをストレージ装置８０へ送信する（ステップＴ４）。
【００４６】
コンテンツデータを受信したストレージ装置３０は、Ｓｕｂ−ＩＤにより会員登録されたユーザ端末であることを判定する。認証されなかったときには、ストレージ装置３０は、携帯電話機２０のアクセスを拒否する（図示せず）。認証があったときには（ステップＴ５）、ストレージ装置３０は、受信したコンテンツデータに携帯電話機２０のＳｕｂ−ＩＤを電子透かしとして埋め込む処理を行なう（ステップＴ６）。そして、Ｓｕｂ−ＩＤを電子透かしとして埋め込まれたＩＤ情報付きコンテンツデータを蓄積部３５に蓄積する（ステップＴ７）。
【００４７】
次に、携帯電話機２０とは異なる端末として、たとえばＰＣ端末４１が、操作によりストレージ装置３０にパスワードを送信する（ステップＴ８）。ストレージ装置３０は、パスワードが正しいか否かを判定する。パスワードの認証がなされなかったときには、ストレージ装置３０は携帯電話機４０のアクセスを拒否する（図示せず）。パスワードの認証がなされたときには（ステップＴ９）、メニュー画面データを送信してＰＣ端末４１がコンテンツデータのダウンロードを選択できる状態に導く（ステップＴ１０）。
【００４８】
次に、ＰＣ端末４１では、コンテンツデータのダウンロードを指示する操作を受けつけ、コンテンツダウンロード要求信号をストレージ装置３０に送信する（ステップＴ１１）。ストレージ装置３０は、蓄積部３５からダウンロード要求されたＩＤ情報付きコンテンツデータを読み出し（ステップＴ１２）、ＰＣ端末４１へ送信する（ステップＴ１３）。
【００４９】
（実施形態３）
上記の実施形態では、ストレージ装置３０が、コンテンツデータを蓄積する際にコンテンツデータにＩＤ情報を電子透かしとして埋め込む処理を行なうが、コンテンツ配信装置が配信時にコンテンツデータにＩＤ情報を電子透かしとして埋め込む処理を行なうこととしてもよい。
【００５０】
図６は、コンテンツ管理システム５１の構成およびデータの流れを示す概念図である。コンテンツ管理システム１は、コンテンツアーカイブ５に接続されるコンテンツ配信装置６０、携帯電話機２０（ユーザ端末）、ストレージ装置８０、携帯電話機４０およびＰＣ端末４１から構成されており、それぞれ電気通信網Ｎに接続されている。ストレージ装置８０は、コンテンツデータの処理を行なう管理装置８１、データベース８５（蓄積部）から構成されている。
【００５１】
図７は、コンテンツ配信装置６０の電気的構成を示すブロック図である。図７に示すように、コンテンツ配信装置６０は、送受信部６１、読み出し処理部６２、透かし処理部６３、送信処理部６４および制御部６５から構成され、各部は制御バスＬ２により接続されている。コンテンツ配信装置６０は、コンテンツアーカイブ５に接続されており、携帯電話機２０からコンテンツデータをダウンロードする要求があったときには、コンテンツデータをコンテンツアーカイブ５から読み出し、携帯電話機２０に送信する。コンテンツアーカイブ５は、コンテンツプロバイダが配信用に作成した各種のコンテンツデータを一括して蓄積する記憶装置である。コンテンツアーカイブ５は、メモリまたはハードディスクのような外部記憶装置により構成されている。コンテンツアーカイブ５に蓄積されるコンテンツデータはコンテンツ配信装置６０により、集中管理されている。
【００５２】
送受信部６１は、電気通信網Ｎに接続するインターフェースであり、コンテンツ等のデータまたは信号の送受信を行なう。読み出し処理部６２は、携帯電話機２０による配信要求があったコンテンツデータをコンテンツアーカイブ５から読み出す処理を行なう。透かし処理部６３は、コンテンツアーカイブ５から読み出したコンテンツデータに、携帯電話機２０から受信したＳｕｂ−ＩＤを電子透かしとして埋め込む処理を行なう。
【００５３】
これにより、コピーされたコンテンツの購入者を特定することが容易になり、不正コピーが行なわれたとしても、コピーの流通経路を追跡することが容易になる。そして、不正コピーへの事後的な対処を容易にするだけでなく、不正コピーに対する抑止力としても効果がある。また、ユーザがダウンロードを要求してきたときにコンテンツデータにＩＤを埋め込むので、予め識別情報などをコンテンツデータに埋め込んでおく必要がなく、コンテンツデータの管理負担を軽減することが可能となる。
【００５４】
送信処理部６４は、コンテンツアーカイブ５から読み出したコンテンツデータを携帯電話機２０に送信する送信処理を行なう。制御部６５は、その他コンテンツ配信装置６０が動作するのに必要な制御を行なう。制御バスＬ２は、各部間の信号やデータの送受に用いられる幹線を概念的に示したものである。読み出し処理部６２、透かし処理部６３、送信処理部６４および制御部６５は、ＣＰＵにより構成されている。
【００５５】
携帯電話機２０は、電気通信網Ｎを介してコンテンツ配信装置６０やストレージ装置８０にアクセスし、コンテンツデータの受信または送信を行なうことのできる機能を有している。携帯電話機２０は、コンテンツ配信またはコンテンツデータのストレージサービスを提供するサービス提供者に、そのＩＤ情報が登録されているユーザ端末である。なお、ＩＤ情報とは、前述の通り、各種サービス提供者がサービス提供先のユーザを特定するために用いる識別情報であり、携帯電話機２０のＳｕｂ−ＩＤを用いてもよいし、また、サービスの提供者が任意に付与してもよい。
【００５６】
ストレージ装置８０は、コンテンツデータの処理を行なう管理装置８１および蓄積部８５から構成されており、コンテンツデータを蓄積し、コンテンツデータの送信要求信号を受信したときには、コンテンツデータを読み出し、要求信号を送信した携帯電話機４０またはＰＣ端末４１に送信処理する。
【００５７】
携帯電話機４０およびＰＣ端末４１は、それぞれユーザ端末としての携帯電話機２０とは異なる端末である。ストレージ装置８０は、Ｓｕｂ−ＩＤが同一でない、またはＳｕｂ−ＩＤが無い場合であっても、パスワード等の認証により他の端末からＩＤ情報付きコンテンツデータをダウンロードできる機能を有している。また、互換性のあるデータ形式のコンテンツデータであれば、ＰＣ端末４１により携帯電話機２０がストレージ装置８０に保存したデータをダウンロードすることが可能となっている。
【００５８】
次に、以上のように構成されるコンテンツ管理システム５１の動作について説明する。
【００５９】
図８は、コンテンツ管理システム５１の特徴的な動作を示すシーケンスチャートである。まず、携帯電話機２０は、コンテンツ配信を受けるための操作を受けつけ、コンテンツダウンロード要求信号をコンテンツ配信装置６０に送信する（ステップＲ１）。コンテンツダウンロード要求信号を受信したコンテンツ配信装置１０は、コンテンツアーカイブ５を検索し、コンテンツアーカイブ５から配信要求のあったコンテンツデータを読み出す（ステップＲ２）。コンテンツ配信装置６０は、コンテンツアーカイブ５から読み出されたコンテンツデータに携帯電話機２０のＳｕｂ−ＩＤを電子透かしとして埋め込む処理を行ない（ステップＲ３）、ＩＤ情報付きコンテンツデータとして携帯電話機２０に送信する（ステップＲ４）。
【００６０】
ＩＤ情報付きコンテンツデータを受信した携帯電話機２０は、ストレージ装置８０への接続操作を受け付ける（ステップＲ５）。次に、携帯電話機２０は、ストレージ装置８０にＳｕｂ−ＩＤを送信する（ステップＲ６）。Ｓｕｂ−ＩＤを受信したストレージ装置８０は、Ｓｕｂ−ＩＤにより会員登録されたユーザ端末であることを判定する。認証されなかったときには、ストレージ装置８０は、携帯電話機２０のアクセスを拒否する（図示せず）。認証があったときには（ステップＲ７）、メニュー画面データを送信して携帯電話機２０がコンテンツデータの保存を選択できる状態に導く（ステップＲ８）。そして、携帯電話機２０は、ユーザによるコンテンツデータの保存を指示する操作を受け付け、コンテンツデータをストレージ装置８０へ送信する（ステップＲ９）。ストレージ装置８０は、ＩＤ情報付きコンテンツデータを蓄積部３５に蓄積する（ステップＲ１０）。
【００６１】
次に、携帯電話機２０とは異なる端末として、たとえば携帯電話機４０が、操作によりストレージ装置８０にパスワードを送信する（ステップＲ１１）。ストレージ装置８０は、パスワードが正しいか否かを判定する。パスワードの認証がなされなかったときには、ストレージ装置８０は携帯電話機４０のアクセスを拒否する（図示せず）。パスワードの認証がなされたときには（ステップＲ１２）、メニュー画面データを送信して携帯電話機４０がコンテンツデータのダウンロードを選択できる状態に導く（ステップＲ１３）。
【００６２】
次に、携帯電話機４０では、コンテンツデータのダウンロードを指示する操作を受けつけ、コンテンツダウンロード要求信号をストレージ装置８０に送信する（ステップＲ１４）。ストレージ装置８０は、蓄積部８５からダウンロード要求されたＩＤ情報付きコンテンツデータを読み出し（ステップＲ１５）、携帯電話機４０へ送信する（ステップＲ１６）。
【００６３】
なお、上記の説明では、コンテンツ管理システムの各装置は、一つの装置として構成されているが、装置の各部に示される機能ごとに一つの装置として構成されたシステムであってもよい。
【図面の簡単な説明】
【００６４】
【図１】コンテンツ管理システムの構成およびデータの流れを示す概念図である。（実施形態１）
【図２】本発明に係るストレージ装置の電気的構成を示すブロック図である。
【図３】コンテンツ管理システムの特徴的な動作を示すシーケンスチャートである。
【図４】コンテンツ管理システムの構成およびデータの流れを示す概念図である。（実施形態２）
【図５】コンテンツ管理システムの特徴的な動作を示すシーケンスチャートである。
【図６】コンテンツ管理システムの構成およびデータの流れを示す概念図である。（実施形態３）
【図７】本発明に係るコンテンツ配信装置の電気的構成を示すブロック図である。
【図８】コンテンツ管理システムの特徴的な動作を示すシーケンスチャートである。
【符号の説明】
【００６５】
１、５１  コンテンツ管理システム
５  コンテンツアーカイブ
１０、６０  コンテンツ配信装置
２０  携帯電話機（ユーザ端末）
３０、８０  ストレージ装置
３１  管理装置
３２  送受信部
３３  透かし処理部
３４  蓄積処理部
３５  蓄積部（データベース）
３６  送信処理部
３８  制御部
４０  携帯電話機（端末装置）
４１  ＰＣ端末（端末装置）
６１  送受信部
６２  読み出し処理部
６３  透かし処理部
６４  送信処理部
６５  制御部
８１  管理装置
８５  蓄積部（データベース）
Ｌ１、Ｌ２  制御バス
Ｎ  電気通信網
【図１】
2006338439.tif 000003
【図２】
2006338439.tif 000004
【図３】
2006338439.tif 000005
【図４】
2006338439.tif 000006
【図５】
2006338439.tif 000007
【図６】
2006338439.tif 000008
【図７】
2006338439.tif 000009
【図８】
2006338439.tif 000010